(57)【要約】【課題】  原料素材の粉砕による微細化を、短時間で効率的に行うことを可能にする原料素材の粉砕装置を提供する。【解決手段】  この原料素材の粉砕装置１は、円筒体からなる横置き式の粉砕室３を備える装置本体２と、前記粉砕室３の中心に軸方向に沿って、回転自在に配置された回転軸６を駆動する駆動装置９とで構成されるもので、前記粉砕室３内の回転軸６は、軸方向に対して垂直になるよう設けられた複数の羽根部材７を備え、前記粉砕室３内には、多数の球状の粉砕媒体が充填される。  したがって、前記羽根部材７によって、前記原料素材と前記粉砕媒体を回転攪拌し、前記粉砕媒体間での挟撃と衝突により発生する高い運動エネルギーを利用して、前記原料素材を粉砕することが可能となる。【選択図】      図１
2017080692.tif 000002
【特許請求の範囲】
【請求項１】
円筒体からなる横置き式粉砕室を備える装置本体と、前記粉砕室の中心に軸方向に沿って回転自在に配置された回転軸を駆動する駆動装置とから構成されるものであって、
前記粉砕室内に位置する回転軸には、
複数のブレードからなる羽根部材が軸方向に対して鉛直となるよう設けられ、
前記羽根部材は、
複数のブレードからなる羽根部材を１ユニットとし、その複数を回転軸に対して鉛直となるよう着脱自在に設けられ、
前記粉砕室内には、
多数の粉砕媒体が充填されていること
を特徴とする原料素材の粉砕装置。
【請求項２】
前記装置本体は、
その外側に冷却又は加熱用のジャケットが付設されていること
を特徴とする請求項１に記載の原料素材の粉砕装置。
【請求項３】
前記粉砕室は、
その外周面に、多数の突出部が形成されていること
を特徴とする請求項１又は２に記載の原料素材の粉砕装置。
【請求項４】
前記ジャケットは、
その内部に、多数の突出部が形成され、
前記突出部は、
先端部が球状で、前記ジャケットの内周面にリング状に形成されていること
を特徴とする請求項２に記載の原料素材の粉砕装置。
【請求項５】
前記突出部は、
前記装置本体の長手方向に沿って複数設けられていること
を特徴とする請求項３又は４のいずれかに記載の原料素材の粉砕装置。
【請求項６】
前記羽根部材の回転速度は、
周速度で６〜２０ｍ／ｓであること
を特徴とする請求項１〜５のいずれかに記載の原料素材の粉砕装置。
【請求項７】
前記羽根部材の厚みは、
６〜５０ｍｍであること
を特徴とする請求項１〜６のいずれかに記載の原料素材の粉砕装置。
【請求項８】
前記粉砕媒体は、
前記粉砕室の容量の２０〜４０％となる量で充填されること
を特徴とする請求項１に記載の原料素材の粉砕装置。
【請求項９】
前記回転軸は、
中空のもので、内部を流路として冷水や熱水が流れるように構成されていること
を特徴とする請求項１に記載の原料素材の粉砕装置。
【発明の詳細な説明】
【技術分野】
【０００１】
この発明は、原料素材の粉砕装置に関するものである。
より詳しくは、原料素材の粉砕による微細化、原料素材の表面改質、又は原料素材同士の反応を、短時間で行うことを可能にする原料素材の粉砕装置に関するものである。
【背景技術】
【０００２】
従来、原料の粉砕や磨砕を必要とする製造業においては、原料素材の粉砕装置としてロッドミルやボールミルなどの転動ミルが広く使用されている。
【０００３】
このような装置において、粉砕室を構成する円筒体内には、ロッド又はボールからなる多数の粉砕媒体が充填されているもので、原料素材（被粉砕物）は、前記円筒体内に投入された後、円筒の回転に伴う原料素材の上昇落下運動による衝撃や、前記粉砕媒体との摩擦作用などによって粉砕される。
【０００４】
このような原料素材の粉砕装置の一例が、特許文献１に開示されている。
【０００５】
例えば、特開平１１−３１９６０６号公報（特許文献１）には、媒液や潤滑剤に頼ることなく、粉体の固着を有効に防止することのできるボールミルが提案されている。
【０００６】
このボールミルは、粉砕対象物および媒体ボールを投入可能な略円筒状の内周面からなる粉砕室を有し、第１軸芯回りに回転自在な筒体と、前記粉砕室の内部において、第２軸芯回りに回転自在な回転羽根とを有するボールミルであって、
前記第１軸芯および前記第２軸芯が横方向に延出され、
前記粉砕室の内周面に、第１面と第２面とからなる突部を設けてあって、前記第１面と前記内周面とが交わる部分を第１境界部とし、
前記第２面と前記内周面とが交わる部分を、第２境界部とし、
前記第１面と前記第２面とが交わる部分を、第３境界部とし、
前記第１軸芯に沿った方向視において、前記第１軸芯と前記第１境界部とを結ぶ第１直線と、前記第１軸芯と前記第２境界部とを結ぶ第２直線とで挟まれた領域内に前記第３境界部を位置させると共に、前記第３境界部を、前記第１直線および前記第２直線のうち何れか一方側に偏位させてあるものである。
【先行技術文献】
【特許文献】
【０００７】
【特許文献１】特開平１１−３１９６０６号公報（請求項１，図１，２）
【発明の概要】
【発明が解決しようとする課題】
【０００８】
従来の原料素材の粉砕装置においては、構成そのものが複雑なものであって、原料となる素材を十分に粉砕するためには、処理時間を長くして、素材を粉砕媒体に十分に接触させる必要があるという問題があった。
反面、処理時間を長くすると、過粉砕が発生し、製品の歩留りが低下してしまうという問題もあった。
【０００９】
前記特許文献１に開示されているボールミルは、媒液や潤滑剤に頼ることなく、粉体の固着を有効に防止することができる点において改善されている。
しかしながら、原料素材を短時間で処理する点において、さらなる改善が求められている。
【００１０】
この発明はかかる現状に鑑み、原料素材の粉砕による微細化を、短時間で効率的に行うことを可能にする原料素材の粉砕装置の提供を目的とするものである。
【課題を解決するための手段】
【００１１】
前記目的を達成するため、この発明にかかる請求項１に記載の発明は、
円筒体からなる横置き式粉砕室を備える装置本体と、前記粉砕室の中心に軸方向に沿って回転自在に配置された回転軸を駆動する駆動装置とから構成されるものであって、
前記粉砕室内に位置する回転軸には、
複数のブレードからなる羽根部材が軸方向に対して鉛直となるよう設けられ、
前記羽根部材は、
複数のブレードからなる羽根部材を１ユニットとし、その複数を回転軸に対して鉛直となるよう着脱自在に設けられ、
前記粉砕室内には、
多数の粉砕媒体が充填されていること
を特徴とする原料素材の粉砕装置である。
【００１２】
この発明の請求項２に記載の発明は、
請求項１に記載の原料素材の粉砕装置において、
前記装置本体は、
その外側に冷却又は加熱用のジャケットが付設されていること
を特徴とするものである。
【００１３】
この発明の請求項３に記載の発明は、
請求項１又は２に記載の原料素材の粉砕装置において、
前記粉砕室は、
その外周面に、多数の突出部が形成されていること
を特徴とするものである。
【００１４】
この発明の請求項４に記載の発明は、
請求項２に記載の原料素材の粉砕装置において、
前記ジャケットは、
その内部に、多数の突出部が形成され、
前記突出部は、
先端部が球状で、前記ジャケットの内周面にリング状に形成されていること
を特徴とするものである。
【００１５】
この発明の請求項５に記載の発明は、
請求項３又は４に記載の原料素材の粉砕装置において、
前記突出部は、
前記装置本体の長手方向に沿って複数設けられていること
を特徴とするものである。
【００１６】
この発明の請求項６に記載の発明は、
請求項１〜５のいずれかに記載の原料素材の粉砕装置において、
前記羽根部材の回転速度は、
周速度で６〜２０ｍ／ｓであること
を特徴とする原料素材の粉砕装置である。
【００１７】
この発明の請求項７に記載の発明は、
請求項１〜６のいずれかに記載の原料素材の粉砕装置において、
前記羽根部材の厚みは、
６〜５０ｍｍであること
を特徴とするものである。
【００１８】
この発明の請求項８に記載の発明は、
請求項１に記載の原料素材の粉砕装置において、
前記粉砕媒体は、
前記粉砕室の容量の２０〜４０％となる量で充填されること
を特徴とするものである。
【００１９】
この発明の請求項９に記載の発明は、
請求項１に記載の原料素材の粉砕装置において、
前記回転軸は、
中空のもので、内部を流路として冷水や熱水が流れるように構成されていること
を特徴とするものである。
【発明の効果】
【００２０】
この発明にかかる原料素材の粉砕装置は、円筒体からなる横置き式の粉砕室を備える装置本体と、前記粉砕室の中心に軸方向に沿って、回転自在に配置された回転軸を駆動する駆動装置とで構成されるもので、前記粉砕室内の回転軸は、軸方向に対して垂直になるよう設けられた複数の羽根部材を備え、前記粉砕室内には、多数の球状の粉砕媒体が充填される。
したがって、この原料素材の粉砕装置は、前記粉砕室内で前記羽根部材によって、前記原料素材と前記粉砕媒体を回転攪拌し、前記粉砕媒体間での挟撃と衝突により発生する高い運動エネルギーを利用して、前記原料素材を粉砕することができる。
特に、この原料素材の粉砕装置によれば、原料素材の粉砕による微細化や、原料素材の表面改質、原料素材同士の反応などを短時間で行うことが可能となるので、処理効率を大幅に向上させることができる。
【００２１】
さらに、前記回転軸に付設する羽根部材を、所定の数のブレード主体で構成し、この羽根部材を１ユニットとして、その複数を回転軸に対して鉛直となるよう着脱自在に設けることによって、使用中に羽根部材の一部が損傷した場合などにおいて、損傷した羽根部材を含むユニットのみを交換することで、容易に修理することが可能となる。
【００２２】
さらにまた、この原料素材の粉砕装置において、前記粉砕室の外周面に、多数の突出部を設けることによって、粉砕室の面積を大きくしているので、より速く粉砕室内を冷却することが可能で、粉砕や表面改質、反応の際の効率を高めることが可能となる。
【００２３】
さらにまた、前記羽根部材については、その回転速度を、周速度で６〜２０ｍ／ｓにし、及び／又はその厚みを、６〜５０ｍｍにすることによって、原料素材の撹拌混合や粉砕などの際に十分な衝撃力を発生させることが可能となり、前記撹拌混合や粉砕などの効率をより一層高めることが可能となる。
【００２４】
さらにまた、この原料素材の粉砕装置において、前記回転軸を、中空のもので、内部を流路として冷水や熱水が流れるように構成することによって、前記粉砕室内の温度を一定に保つことができ、その結果、粉砕や表面改質、反応の際の効率を一層高めることが可能となる。
【図面の簡単な説明】
【００２５】
【図１】この発明にかかる原料素材の粉砕装置の一例を示す概略説明図である。
【図２】この発明にかかる原料素材の粉砕装置の粉砕室の一例を示す断面図である。
【図３】図１に示す粉砕装置の断面拡大図である。
【図４】図２に示す粉砕室のＡ−Ａ’断面図である。
【発明を実施するための形態】
【００２６】
以下、この発明にかかる原料素材の粉砕装置の実施の一例を、添付の図面に基づいて具体的に説明する。
なお、この発明は、以下の実施例にのみ限定されるものではなく、この発明の要旨を変更しない範囲内で種々変更を加えることができるものである。
【００２７】
この発明にかかる原料素材の粉砕装置１は、図１に示すように、円筒体からなる横置き式の粉砕室３を備える装置本体２と、前記粉砕室３の中心に軸方向に沿って回転自在に配置された回転軸６を駆動するための駆動装置９から構成されている。
【００２８】
前記粉砕室３は、ステンレスなどの耐摩耗性を有する金属材料やセラミックライニング材で構成されるものである。
この粉砕室３は、図１〜２に示すように、その上部外周には、原料素材（粉砕対象物）や粉砕媒体を投入するための、着脱自在なキャップを有する投入口３ａが、所要の間隔を存して複数配置されている。
一方、その下部外周には、粉砕処理された原料素材や粉砕媒体を排出するため、下方に向かって開口する排出口３ｂが設けられている。
なお、この実施例において、前記投入口３ａと排出口３ｂは、それぞれ前記粉砕室３の上下に別々に設けられているが、前記投入口３ａと排出口３ｂを兼ねるように、一方にのみ開口部を設けてもよい。
さらに、この実施例において、前記排出口３ｂには、粉砕処理された原料素材は通過するが、粉砕媒体は通過しない、所要の大きさのメッシュの網状体が取り付けられている。
【００２９】
この実施例において、前記粉砕装置１は、前記粉砕室３の上部に設けられた投入口３ａから原料素材を連続的に投入しつつ、下部に設けられた排出口３ｂから処理物を連続的に排出するよう構成されているので、粉砕などの処理を連続的に行うことができる。
【００３０】
この実施例において、前記粉砕室３は、その内径と長さの比が１：１〜１：５になるように構成されている。
なお、前記内径と長さの比は、一定量の原料素材を一定の処理時間で粉砕する、いわゆるバッチ式の粉砕処理を行う場合には、好ましくは１：１〜１：１．３である。
また、連続的に原料素材を投入して粉砕処理を行う場合には、好ましくは１：１．５〜１：３である。
【００３１】
この発明にかかる原料素材の粉砕装置１においては、前記粉砕室３を、周方向に回転又は回動可能に構成することができる。
このような構成によって、前記キャップ及び前記メッシュの網状体の着脱に際しては、前記粉砕室３を回転又は回動させることができるので、その着脱が容易なものとなる。
さらに、処理物の排出に際して、前記処理物が前記メッシュの網状体に目詰まりすることや、運転の際のブレードの回転・接触による前記メッシュの網状体及びその周囲近傍における摩耗を防止することができる。
なお、前記粉砕室３の回転又は回動を、電動機などの公知の駆動装置を用いて行ってもよく、前記回転軸６を駆動させながら行ってもよい。
前記回転の方向については、前記回転軸６の回転方向と同じであってもよく、逆であってもよい。
【００３２】
前記装置本体２は、図３に示すように、前記粉砕室３の外側に補強部材３ｇを介して冷却又は加熱用のジャケット８を備えるものである。
この実施例において、前記粉砕室３の外周面に、周方向にリブ３ｆ，３ｆ・・・を軸方向に沿って複数形成することによって、表面積を増やし、その内部において、より速い冷却を可能とし、粉砕や表面改質、反応の際の効率を高めるよう構成されている。
なお、前記ジャケット８の内周面に、内部に突出する弧状の突出部を多数形成することによって、あるいは前記粉砕室３の外周面に上方に向かって突出する多数の突出部を複数形成することによって、前記同様の効果が得られる。
例えば、前記ジャケット８の内周面に、先端部が球状の前記突出部を、リング状に前記装置本体２の長手方向に沿って複数形成することができる。
【００３３】
すなわち、図３において、前記冷却又は加熱用のジャケット８の外周面には、内部と連通する、冷却水などの冷却媒体又は加熱水などの熱媒体の流入口３ｄと流出口３ｅが形成されると共に、前記粉砕室３の外周面と前記冷却又は加熱用のジャケット８の内周面との間には、前記冷却媒体又は熱媒体が流れる流路が形成され、この流路を通じて冷却媒体又は熱媒体が流れるように構成されている。
したがって、その内部において、より速い冷却又は加熱を可能とし、粉砕や表面改質、反応の際の効率を高めることを可能としている。
その際、前記粉砕室３の外周面において、前記リブ３ｆを軸方向に沿って複数形成する場合には、図示しないが、前記リブ３ｆの側面に、冷却媒体又は熱媒体の流路としての貫通口を形成することによって、冷却媒体又は熱媒体が流路内の全体に流れるように構成してもよい。
【００３４】
さらに、図２に示すように、前記粉砕室３には、その内部と連通するキャップを有する通気口３ｃが設けられている。
したがって、この通気口３ｃから不活性化ガスを導入し、あるいは吸引して真空状態にすることによって、粉砕や表面改質、反応の際の効率をさらに高めることが可能である。
【００３５】
前記粉砕室３の中心には、図１に示すように、軸方向に沿って、前記モータ１０によって作動する駆動装置９の回転軸６が回転自在に配置されている。
この実施例において、前記粉砕室３の相対する前後の側面には、それぞれ軸受４，５が配され、これらの軸受４，５間に回転軸６が回転自在に軸支されている。
前記回転軸６は、前記駆動装置９の駆動軸９ａからの回転動力が、減速機１１およびジョイントギア１２を介して伝達されることによって回転する。
【００３６】
なお、この実施例において、前記回転軸６は、中空のもので、内部を流路６ａとして冷水や熱水が流れるように構成されている。
かかる構成を採用することによって、前記粉砕室３内の温度を一定に保つことができるので、粉砕や表面改質、反応の際の効率を一層高めることが可能となる。
【００３７】
前記装置本体２内の回転軸６には、図２に示すように、複数のブレードからなる羽根部材７が、軸方向に対して並列状態で鉛直となるようキー等で着脱自在に取り付けられている。
【００３８】
前記羽根部材７は、その材質については特段の制限がないので、選択される原料素材に応じて適宜選択すればよい。
したがって、例えば、ステンレスなどの金属素材や、アルミナやジルコニア、その他窒化ケイ素などのセラミック素材を選択することができる。
なお、前記羽根部材７を、アルミナやジルコニア、窒化ケイ素などのセラミック素材で構成することによって、摩耗による金属粉の発生を抑制することができる。
【００３９】
この実施例においては、図２に示すように、前記羽根部材７は、長さの等しい３つのブレード７ａ，７ｂ，７ｃを１ユニットとして、５ユニットを連結させたもので、１ユニット毎に取り換え可能に構成したものである。
このような構成を採用することによって、使用中に羽根部材７の一部が損傷した場合などにおいては、損傷した羽根部材を含むユニットのみを交換することで、容易に修理することが可能となる。
なお、この実施例において、前記３つのブレードの長さは全て同一としているが、その長さについては、特に制限はなく、これらの全てを同一としなくてもよい。
【００４０】
かかる羽根部材７は、これを備える回転軸６の回転に伴って回転する。
その際、前記羽根部材７の回転速度は、処理される原料素材にもよるが、例えば、周速度で６〜２０ｍ／ｓ、好ましくは周速度で６〜１４ｍ／ｓである。
周速度６ｍ／ｓより遅い場合には、衝撃力に起因する高い運動エネルギーが発生しない傾向にあり、周速度２０ｍ／ｓよりも速い場合には、後述する粉砕媒体は揃って回転するため粉砕媒体同士の衝突が発生せず、十分な衝撃力が発生しない傾向にある。
なお、前記羽根部材７を金属素材で構成した場合、その回転速度は、より好ましくは周速度で８〜１３ｍ／ｓである。
【００４１】
前記羽根部材７の厚みは、好ましくは６〜５０ｍｍ、より好ましくは６〜２５ｍｍである。
６ｍｍ未満の場合には、羽根部材７の破損が発生し易い傾向にあり、５０ｍｍを超える場合には、回転軸６を回転させるために、より大きな駆動力が必要となり、モータや回転軸に大きな負荷がかかるため、粉砕などの効率が悪くなる傾向にある。
【００４２】
前記羽根部材７を構成するブレード（７ａ，７ｂ，７ｃ）の端縁と前記粉砕室３の内周との間隔（隙間）は、好ましくは１０〜１００ｍｍ程度、より好ましくは１０〜３０ｍｍ程度、さらに好ましくは１０〜１５ｍｍ程度である。
かかる構成とすることによって、原料素材を効果的および／または効率的に粉砕し、表面改質し、原料素材同士の反応などを行うことができる。
【００４３】
前記羽根部材７は、前記回転軸６上に装着されるもので、所定の枚数のブレードを、その方向（角度）を変えて組み合わせて１ユニットとしたものである。
【００４４】
なお、前記羽根部材７を構成するブレード７ａ，７ｂ，７ｃは、それぞれ図４に示すように、その中央に前記回転軸６が貫通する貫通孔７ｄが形成され、さらに、この貫通孔７ｄの所定の位置には、外方に向かって切欠いて形成された切欠き７ｅが設けられている。
さらに、前記回転軸６の外周上には、軸方向に沿って突起が形成されているので、これを前記切欠き７ｅと嵌合させることで、前記羽根部材７を前記回転軸６に固定することができる。
その際、この切欠き７ｅの位置を、ブレード毎に変えることで、各ブレードの方向を変えることができる。
この実施例において、前記羽根部材７は、３枚のブレード７ａ，７ｂ，７ｃから構成されているが、その枚数ないし各ブレード間の角度については、前記粉砕室の大きさなどに応じて適宜選択することができる。
好ましくは３〜１２枚（すなわち各ブレード間の角度６０〜１５°）、より好ましくは３〜６枚（すなわち各ブレード間の角度６０〜３０°）である。
【００４５】
前記羽根部材７は、その先端、例えば、１０〜１００ｍｍの範囲には、図４に示すように摩耗防止のため、ステライトやコルモノイなどの耐摩耗鋼からなる摩耗防止材７ｆを肉盛り溶接することが好ましい。
その際、溶接される耐摩耗鋼の肉厚は、例えば、５〜２０ｍｍ程度とすることが好ましい。
【００４６】
前記粉砕室３内には、粉砕媒体として、図示しないが、多数のボールが充填される。
このボールは、所要の大きさの球体からなるもので、アルミナやジルコニア、窒化ケイ素などのセラミック素材や耐摩耗性を有する金属素材で構成される。
なお、前記ボールをセラミック素材で構成した場合には、摩耗による金属粉の発生が抑制される。
この実施例において、前記ボールは、直径５ｍｍを有するものであるが、直径３〜１５ｍｍ程度のものであってもよい。
【００４７】
前記ボールの充填量は、原料素材に応じて適宜選択すればよいが、前記粉砕室３の容量に対して好ましくは２０〜４０％、より好ましくは３０〜４０％である。
【００４８】
かかる原料素材の粉砕装置１を使用して、原料素材を粉砕するメカニズムについて説明する。
【００４９】
原料素材の粉砕に際し、前記ジャケット８を利用し、前記流入孔３ｄから前記装置本体２に加熱水もしくは冷却水を導入し、装置本体２を加熱もしくは冷却する。
ついで、前記装置本体２に設けられた投入口３ａから、前記粉砕室３内に粉砕媒体として所要の大きさのボールと、原料素材を定量供給したのち、モータ１０を始動させて駆動装置９を作動させ、回転軸６を回転させてブレード７ａ，７ｂ，７ｃを回転させる。
前記回転軸６が回転し始めると、原料素材は、前記粉砕室３内で、前記ブレード７ａ，７ｂ，７ｃによって回転攪拌されるが、同様に、前記粉砕室３内に充填されている前記ボールも回転攪拌される。
【００５０】
その際、前記ボールは、高速回転している前記羽根部材７によって、互いに衝突して衝撃力を発生し、大きな重力加速度（２００〜３００Ｇ）を発生する。
その結果、前記原料素材は、前記ボール間で挟撃されることに加えて、前記衝撃力を受けることで、粉砕される。
【００５１】
したがって、この発明にかかる原料素材の粉砕装置１によれば、前記衝撃力に起因する高い運動エネルギーを利用して粉砕処理を行うことができるので、短時間、特に従来の原料素材の粉砕装置の１／５〜１／２０の時間での粉砕処理が可能である。
【００５２】
さらに、前記原料素材の粉砕装置１は、粉砕媒体同士の衝突による衝撃力を主体とするものであって、ビーズミルのように撹拌によって粉砕媒体を擦り合わせるのではなく、ボールミル、振動ミルのように粉砕室（容器）やボールの回転により粉砕媒体を擦り合わせるのでもないので、粉砕媒体と前記粉砕室３の内周面との間での摩擦が少なく、この内周面における摩耗の発生が少ない。
【００５３】
なお、粉砕処理された原料素材の回収については、公知の方法によって行うことができる。
例えば、前記粉砕処理された原料素材を、ブロワーで吸引して、捕集・分離のための装置（例えばサイクロン）で回収することができる。
【００５４】
この実施例においては、前記原料素材の粉砕装置を使用して、メカニカルミリングなどの粉砕処理を行う例を示したが、メカニカルアロイング、メカノケミカルなどの機械的表面改質及び反応の処理にも適用することができる。
【００５５】
また、この実施例においては、前記原料素材の粉砕装置を、乾式の原料素材の粉砕装置として使用する例を示したが、湿式の原料素材の粉砕装置に適用することも可能である。
【００５６】
なお、この発明において、前記原料素材については、特に制限はない。
例えば、Ｍｇ、Ａｌ、Ｓｉ、Ｔｉ、Ｖ、Ｃｒ、Ｍｎ、Ｆｅ、Ｃｏ、Ｎｉ、Ｃｕ、Ｚｎ、Ｇａ、Ｇｂ、Ｒｂ、Ｓｒ、Ｙ、Ｚｒ、Ｎｂ、Ｍｏ、Ｔｃ、Ｒｕ、Ｒｈ、Ｐｂ、Ａｇ、Ｃｄ、Ｉｎ、Ｓｎ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、及びＧｄ、並びにそれら２種類以上の複合物、並びにそれらの酸化物、窒化物、及び炭化物などから選択することができる。
【産業上の利用可能性】
【００５７】
この発明にかかる原料素材の粉砕装置は、原料素材の粉砕による微細化や原料素材の表面改質、又は原料素材同士の反応を短時間で行うことを可能にするものである。
したがって、粉体製品を製造ないし取扱う業界に利用される可能性の高いものである。
【符号の説明】
【００５８】
１          原料素材の粉砕装置
２          装置本体
３          粉砕室
３ａ        投入口
３ｂ        排出口
３ｃ        通気口
３ｄ        冷却水又は温水の流入口
３ｅ        冷却水又は温水の排出口
３ｆ        リブ
３ｇ        補強部材
４，５      軸受
６          回転軸
６ａ        流路
７          羽根部材
７ａ〜７ｃ  ブレード
７ｄ        貫通孔
７ｅ        切欠き
７ｆ        摩耗防止材
８          ジャケット
９          駆動装置
１０        モータ
１１        減速機
１２        ジョイントギア
【図１】
2017080692.tif 000003
【図２】
2017080692.tif 000004
【図３】
2017080692.tif 000005
【図４】
2017080692.tif 000006